(57)【要約】【課題】  増設オプションや機器設置環境温度に対し、運用の幅を広げることを可能とするコンピュータ筐体を提供することである。【解決手段】  小さいサイズでは搭載不可能な内蔵オプションボードの増設や、筐体内温度の調整を行う場合に、コンピュータ筐体を分割し片方をスライドさせることで、筐体サイズを変更する。また、筐体の分割後、筐体間にスペーサーを使用することで筐体サイズの変更する。【選択図】図２
2008243115.tif 000002
【特許請求の範囲】
【請求項１】
コンピュータを内部に搭載するコンピュータ筐体において、
前記コンピュータ筐体は、複数の部分に分割される構成であり、
前記複数の部分のうちの一つの部品は、該一つの部品と異なる他の部品のうちの一部と離れる方向にスライドする構成であり、
前記スライドにより、前記コンピュータ筐体の内部の搭載領域を増大させることを特徴とするコンピュータ筐体。
【請求項２】
コンピュータを内部に搭載するコンピュータ筐体において、
前記コンピュータ筐体は、複数の部分に分割される構成であり、
該分割された部分どうしを接続するスペーサーを備え、
前記分割された複数の部品及び前記スペーサーにより、筐体を構成することを特徴とするコンピュータ筐体。
【発明の詳細な説明】
【技術分野】
【０００１】
本発明は、コンピュータ筐体に関し、特に内蔵オプションを搭載するコンピュータ筐体に関するものである。
【背景技術】
【０００２】
コンピュータ機器を導入するにあたって、内蔵オプションや設置環境は、本来導入前に確定させる必要がある。そこで、内蔵オプションや環境温度に適応したコンピュータ筐体を確定させることとなる。その為、近年は筐体の小型化が進んでいるが、内蔵オプションのサイズ等により、従来の大きな筐体を導入する必要も残っている。そのような中で、小さな筐体でのシステム導入後に大きなサイズの内蔵オプションボードを増設する必要が生じた場合、システム装置を新規に導入するという対応しかとれず、費用面で大きな問題となる。
【０００３】
従来のコンピュータ筐体は、主に図１のような構造になっている。前面には表示系のパネルやLED、ハードディスクやバックアップデバイスが実装され、後面にはマザーボード、電源、PCIボード等が実装されている。また、近年、コンピュータ筐体の小型化が進んでいるが、上記のような実装上の制限により、図１のボード３のような従来からのサイズの大きな内蔵オプションボードを搭載する必要性が生じる場合や、設置環境の問題で筐体内温度の上昇を抑える必要が生じる場合には依然として大きな筐体が必要となっている。
【０００４】
このため、これらをコンピュータ導入時に予想している場合は、図１の筐体１のようにあらかじめ筐体サイズの大きな機器を導入することで問題は回避できるが、図１の筐体２のような小さい筐体サイズの機器を導入後では、上述のような拡張対応が困難となる。このような問題を回避することが必要であった。また、コンピュータ機器筐体に関する発明としては、特許文献１のように内部オプションをホットプラグ可能とする技術や、特許文献２のように縦型のデスクトップ型から横型のラックマウント方への筐体を変更する技術がある。
【０００５】
【特許文献１】特開平10-133779号公報
【特許文献２】実開平1-61722号公報
【発明の開示】
【発明が解決しようとする課題】
【０００６】
しかし、上記特許文献に記載された技術は、筐体サイズそのものを可変にするものではない。従って、内蔵オプションの増設や設置環境に応じた筐体サイズの変更には対応できない。
【０００７】
本発明の目的は、小さな筐体サイズのコンピュータ機器を導入後に、導入時のサイズでは搭載不可能な内蔵オプションボードを搭載する必要が生じた場合や、機器の設置環境温度が高い場合に筐体内部温度の上昇を抑える必要が生じた場合にも、機器を新規に導入するのではなく、増設オプションや機器設置環境温度に対し運用の幅を広げることを可能とするコンピュータ筐体のサイズ変更方法を提供することである。
【課題を解決するための手段】
【０００８】
上記目的を達成するために本発明は、筐体を二分割し、それぞれを組み合わせることにより、筐体サイズを変更する構成である。
【発明の効果】
【０００９】
本発明によるコンピュータ筐体では、筐体サイズを容易に変更できることから、小さな筐体では搭載不可能な、大きなサイズのオプションボードを搭載する場合や、コンピュータ設置場所が高い温度の場合による筐体内部温度上昇を防ぐための内部空間確保が必要無ければ、筐体サイズをコンパクトに纏められる。従って、機器導入後のシステム変更や設置場所の変更等に対応することができる。
【発明を実施するための最良の形態】
【００１０】
以下に、本発明の実施形態について図面を用いて詳細に説明する。
【実施例１】
【００１１】
図２は、本発明の第１の実施例であるコンピュータ筐体であり、図２の筐体４と筐体５を分割し、筐体５を矢印６の方向へスライドさせることで、容易に筐体サイズを変更させることができる。
【００１２】
このようなスライド式の可変方法を実現させるための構造として、筐体４と５のサイド部分をスライドレール７にて連結させる。連結時の固定はスライドレールの任意の位置でネジ止めさせることで固定可能となる。手順としては、筐体１の天板８を外した後、クランプ止めにてまとめられている内部ケーブルを最大長に延ばす。クランプ止めの方法としては、１０のようなクリップ型を使うことで幅の太いケーブルも容易にまとめられる。
【００１３】
次に、筐体２に固定されているスライドレール７のネジ止めを外して、矢印６の方向に筐体２をスライドさせることで、筐体サイズの変更を可能とすることができる。この際、スライドレールでの固定用ネジ穴及び拡張用天板を等間隔に複数設けることで、最小と最大だけではなく、任意のサイズでの固定を可能とすることができる。なお、内部のケーブル１０は、最大の筐体サイズに合わせた長さとして筐体１にクランプ止めしており、筐体サイズ変更時はケーブルのクランプ止めを解除して長さの余裕を保った状態とすることで、余分な負荷をかけることなく、容易に筐体サイズの変更を可能とすることができる。
【００１４】
また、ＣＰＵファン用のダクトを取り付ける必要がある場合、図４のようにダクトをダクト１７とダクト１８に分割し、筐体サイズ変更時は、ダクトも同様に矢印１９の方向にスライドさせたり、図５のようにダクトの一部を蛇腹部分２０のような構造とし、筐体サイズ変更時はダクトの蛇腹部分２０を矢印２１の方向に伸ばすことで、容易に筐体サイズを大きくすることができる。なお、筐体サイズを小さくする場合には、逆の手順で容易に変更可能である。
【実施例２】
【００１５】
図３は、本発明の第２の実施例であるコンピュータ筐体を示す。本実施例は、筐体１１と筐体１２を分割し、筐体間にスペーサー１３を追加させることで、容易に筐体サイズを変更させる構成である。
【００１６】
このサイズ変更を実現させるための構造として、ネジ穴１４で固定している筐体１１、１２同士を分割し、間にスペーサー１３を取り付ける。強度の確保に関しては、双方を組み合わせる板金部分を長くすることで対応する。また、より強度が必要な場合には、金具１５を組み合わせることで、強く固定することも可能である。
【００１７】
分割の際は、いったん内部ケーブルを外す必要があるので、それぞれの筐体及びスペーサーの天板１６を取り外し、内部ケーブルを一時的に外す。なお、内部ケーブルは図２の１０と同様に、最大の筐体サイズに合わせた長さとして筐体１にクランプ止めしており、筐体の分割時はケーブルのクランプ止めを解除して長さの余裕を保った状態とすることで、余分な負荷をかけることなく、容易に筐体サイズの変更を可能とすることができる。
【００１８】
また、ＣＰＵファン用のダクトを取り付ける必要がある場合、図６のように、ダクトをダクト２２とダクト２４のように分割させ、筐体サイズ変更時はダクト２２とダクト２４の間にスペーサー２３を追加することで、容易に筐体サイズを大きくすることができる。なお、筐体サイズを小さくする場合には、逆の手順で容易に変更可能である。
【００１９】
なお、コンピュータ内部の部品・ケーブル類に対しては可能な限り通常のコンピュータ関連で用いられる部品を流用し、必要最小限の改造により筐体サイズの可変を実現した。また、筐体の分割位置は前述の、前面（表示パネル／LED、ハードディスク、バックアップデバイス等）、後面（マザーボード、電源、ＰＣＩスロット等）で分割することとする。
【００２０】
本発明を用いることで、必要に応じて筐体のサイズを変更できるため、急なシステム変更にも柔軟に対処可能となる。また、設置環境の温度が高いなど、機器内部温度の上昇を抑える必要が生じた場合も、筐体サイズを変更することで内部空間を確保し、温度上昇を抑えることが可能となる。従って、構成変更や設置環境の変更の際に、費用面や保守性、作業性においてメリットがある。
【図面の簡単な説明】
【００２１】
【図１】背景技術の概略を示した説明図である。
【図２】第１の実施例であるコンピュータ筐体が、筐体サイズを変更する場合の構造を示した説明図である。
【図３】第２の実施例であるコンピュータ筐体が、筐体サイズを変更する場合の構造を示した説明図である。
【図４】筐体サイズを変更する場合の構造を示した説明図である。
【図５】筐体サイズを変更する場合の構造を示した説明図である。
【図６】筐体サイズを変更する場合の構造を示した説明図である。
【符号の説明】
【００２２】
４：筐体の前面部、５：筐体の背面部、６：筐体背面部のスライド方向、７：筐体サイズ変更用スライドレール、８：筐体前面部の天板、９：筐体背面部の天板、１０：内部ケーブル取り付けようのクランプ、１１：筐体の前面部、１２：筐体の背面部、１３：筐体間のスペーサー、１４：筐体固定用ネジ穴、１５：固定用金具、１６：天板
【図１】
2008243115.tif 000003
【図２】
2008243115.tif 000004
【図３】
2008243115.tif 000005
【図４】
2008243115.tif 000006
【図５】
2008243115.tif 000007
【図６】
2008243115.tif 000008